(57)【要約】【課題】ユーザーの自宅の住環境に応じた危険性の対策案を気軽に閲覧可能とする。【解決手段】  住環境危険性対策案提供システムのサーバは、複数種類の住環境毎に、対策前の住環境画像と、対策後の住環境画像とを関連付けて記憶しているとともに、前記複数種類の住環境を一覧で表示するための一覧データを記憶している。住環境危険性対策案提供システムの顧客用端末は、一覧データをサーバから読み出して表示部４１に表示してから、ユーザーによって操作部が操作され、一覧データから任意の住環境が選択されると、当該選択された住環境に基づく対策前の住環境画像と、対策後の住環境画像とをサーバ２から読み出し、対策前の住環境画像を表示部に表示する。その後、ユーザーによって操作部が操作されて、対策前の住環境画像上にポインタが重なると、表示部に表示されている対策前の住環境画像を、対策後の住環境画像に切り替えて表示する。【選択図】図１
2014038445.tif 000002
【特許請求の範囲】
【請求項１】
サーバ及び顧客用端末がネットワークを介して接続された住環境危険性対策案提供システムにおいて、
前記顧客用端末は、表示部と、前記表示部に表示されたポインタを操作するための操作部とを備え、
前記サーバは、複数種類の住環境毎に、対策前の住環境画像と、対策後の住環境画像とを関連付けて記憶しているとともに、前記複数種類の住環境を一覧で表示するための一覧データを記憶しており、
前記顧客用端末は、前記一覧データを前記サーバから読み出して前記表示部に表示してから、ユーザーによって前記操作部が操作され、前記一覧データから任意の住環境が選択されると、当該選択された住環境に基づく前記対策前の住環境画像と、前記対策後の住環境画像とを前記サーバから読み出し、前記対策前の住環境画像を前記表示部に表示し、その後、ユーザーによって前記操作部が操作されて、前記対策前の住環境画像上に前記ポインタが重なると、前記表示部に表示されている前記対策前の住環境画像を、前記対策後の住環境画像に切り替えて表示することを特徴とする住環境危険性対策案提供システム。
【請求項２】
請求項１記載の住環境危険性対策案提供システムにおいて、
前記サーバに接続されるクライアント端末を備え、
前記クライアント端末は、新たな種類の住環境に対応する対策前の住環境画像と、対策後の住環境画像とを前記サーバに対して追加自在であることを特徴とする住環境危険性対策案提供システム。
【請求項３】
ネットワークを介して接続されたサーバ及び顧客用端末によって実行される住環境危険性対策案提供方法において、
前記顧客用端末は、表示部と、前記表示部に表示されたポインタを操作するための操作部とを備え、
前記サーバは、複数種類の住環境毎に、対策前の住環境画像と、対策後の住環境画像とを関連付けて記憶しているとともに、前記複数種類の住環境を一覧で表示するための一覧データを記憶しており、
前記顧客用端末が前記一覧データを前記サーバから読み出して前記表示部に表示する一覧データ表示工程と、
ユーザーによって前記操作部が操作され、前記一覧データから任意の住環境が選択される選択工程と、
選択された住環境に基づく前記対策前の住環境画像と、前記対策後の住環境画像とを前記顧客用端末が前記サーバから読み出す住環境画像読み出し工程と、
前記対策前の住環境画像を前記表示部に表示する対策前画像表示工程と、
ユーザーによって前記操作部が操作されて、前記対策前の住環境画像上に前記ポインタが重なると、前記表示部に表示されている前記対策前の住環境画像を、前記対策後の住環境画像に切り替えて表示する画像切替工程とを含むことを備えることを特徴とする住環境危険性対策案提供方法。
【請求項４】
請求項３記載の住環境危険性対策案提供方法において、
前記サーバにはクライアント端末が接続されていて、
新たな種類の住環境に対応する対策前の住環境画像と、対策後の住環境画像とを前記クライアント端末が前記サーバに対して追加する追加工程を含むことを特徴とする住環境危険性対策案提供方法。
【発明の詳細な説明】
【技術分野】
【０００１】
本発明は、住環境危険性対策案提供システム及び住環境危険性対策案提供方法に係り、特にユーザーの住環境に応じた防犯対策案を提供することのできる住環境危険性対策案提供システム及び住環境危険性対策案提供方法に関する。
【背景技術】
【０００２】
従来、既設建物に対する侵入盗危険性を定量的に評価し、当該評価結果に基づいて防犯対策が提案される防犯診断提案方法が知られている（例えば特許文献１）。この評価に際しては予め居住者が質問シートを記入し、その結果から評価者が既設建物の侵入盗危険性を評価するようになっている。
【先行技術文献】
【特許文献】
【０００３】
【特許文献１】特開２０１２−８９０２号公報
【発明の概要】
【発明が解決しようとする課題】
【０００４】
しかしながら、上記の防犯診断提案方法であると、侵入盗危険性の評価結果には逐一評価者の評価が必要であるために、居住者が自宅の防犯対策案などの危険性対策案を気軽に知るには敷居が高いのが実状である。
このため、本発明の課題は、ユーザーが自宅の住環境に応じた危険性対策案を気軽に閲覧可能な住環境危険性対策案提供システム及び住環境危険性対策案提供方法を提供することである。
【課題を解決するための手段】
【０００５】
請求項１に記載の発明は、例えば図１に示すように、
サーバ２及び顧客用端末４がネットワークＮを介して接続された住環境危険性対策案提供システム１において、
前記顧客用端末４は、表示部４１と、前記表示部４１に表示されたポインタＫを操作するための操作部４２とを備え、
前記サーバ２は、複数種類の住環境毎に、対策前の住環境画像と、対策後の住環境画像とを関連付けて記憶しているとともに、前記複数種類の住環境を一覧で表示するための一覧データを記憶しており、
前記顧客用端末は、前記一覧データを前記サーバから読み出して前記表示部４１に表示してから、ユーザーによって前記操作部４２が操作され、前記一覧データから任意の住環境が選択されると、当該選択された住環境に基づく前記対策前の住環境画像と、前記対策後の住環境画像とを前記サーバ２から読み出し、前記対策前の住環境画像を前記表示部４１に表示し、その後、ユーザーによって前記操作部４２が操作されて、前記対策前の住環境画像上に前記ポインタが重なると、前記表示部４１に表示されている前記対策前の住環境画像を、前記対策後の住環境画像に切り替えて表示することを特徴としている。
【０００６】
請求項１記載の発明は、複数種類の住環境を一覧で表示するための一覧データが顧客用端末４に表示されて、その表示内容をユーザーが一覧で視認できるので、ユーザーは自宅の住環境に類似したものを一覧データから選択しさえすれば、その選択された住環境における対策前の住環境画像と、対策後の住環境画像とを顧客用端末４に表示させることが可能である。これにより、ユーザーは、評価者を介さずとも、自宅の住環境に応じた防犯対策案を気軽に閲覧することができる。
さらに、選択直後には、対策前の住環境画像が表示されているが、その後、ユーザーによって操作部４２が操作されて、対策前の住環境画像上にポインタが重なると、当該対策前の住環境画像が、対策後の住環境画像に切り替わるので、防犯対策の前後による変化を直感的に認識しやすくすることができる。
【０００７】
請求項２記載の発明は、請求項１記載の住環境危険性対策案提供システムにおいて、例えば図１に示すように、
前記サーバ２に接続されるクライアント端末３を備え、
前記クライアント端末３は、新たな種類の住環境に対応する対策前の住環境画像と、対策後の住環境画像とを前記サーバ２に対して追加自在であることを特徴としている。
【０００８】
請求項２記載の発明によれば、クライアント端末３が、新たな種類の住環境に対応する対策前の住環境画像と、対策後の住環境画像とをサーバ２に対して追加することができるので、サーバ２内の対策前の住環境画像と、対策後の住環境画像とを更新することができ、より多くの住環境に応じた防犯対策案を提供することが可能である。
【０００９】
請求項３記載の発明は、例えば図１に示すように、
ネットワークＮを介して接続されたサーバ２及び顧客用端末４によって実行される住環境危険性対策案提供方法において、
前記顧客用端末４は、表示部４１と、前記表示部４１に表示されたポインタＫを操作するための操作部４２とを備え、
前記サーバ２は、複数種類の住環境毎に、対策前の住環境画像と、対策後の住環境画像とを関連付けて記憶しているとともに、前記複数種類の住環境を一覧で表示するための一覧データを記憶しており、
前記顧客用端末４が前記一覧データを前記サーバ２から読み出して前記表示部４１に表示する一覧データ表示工程と、
ユーザーによって前記操作部４２が操作され、前記一覧データから任意の住環境が選択される選択工程と、
選択された住環境に基づく前記対策前の住環境画像と、前記対策後の住環境画像とを前記顧客用端末４が前記サーバ２から読み出す住環境画像読み出し工程と、
前記対策前の住環境画像を前記表示部４１に表示する対策前画像表示工程と、
ユーザーによって前記操作部４２が操作されて、前記対策前の住環境画像上に前記ポインタＫが重なると、前記表示部４１に表示されている前記対策前の住環境画像を、前記対策後の住環境画像に切り替えて表示する画像切替工程とを含むことを備えることを特徴としている。
【００１０】
請求項３記載の発明によれば、請求項１に記載の発明と同等の作用効果を奏することができる。
【００１１】
請求項４記載の発明は、請求項３記載の住環境危険性対策案提供方法において、例えば図１に示すように、
前記サーバ２にはクライアント端末３が接続されていて、
新たな種類の住環境に対応する対策前の住環境画像と、対策後の住環境画像とを前記クライアント端末３が前記サーバ２に対して追加する追加工程を含むことを特徴としている。
【００１２】
請求項４記載の発明によれば、請求項２記載の発明と同等の作用効果を奏することができる。
【発明の効果】
【００１３】
本発明によれば、ユーザーが自宅の住環境に応じた危険性の対策案を気軽に閲覧可能な住環境危険性対策案提供システム及び住環境危険性対策案提供方法を提供することができる。
【図面の簡単な説明】
【００１４】
【図１】本実施形態に係る住環境危険性対策案提供システムの概略構成を示す模式図である。
【図２】本実施形態に係る編集フォーマットの一例を示す編集画面である。
【図３】本実施形態に係る顧客用端末の表示部に住環境データ群を表示した場合のレイアウトの一例を示す模式図である。
【図４】一種類目の住環境における未対策画像と対策画像とを示す説明図であり、（ａ）が未対策画像、（ｂ）が対策画像である。
【図５】二種類目の住環境における未対策画像と対策画像とを示す説明図であり、（ａ）が未対策画像、（ｂ）が対策画像である。
【図６】三種類目の住環境における未対策画像と対策画像とを示す説明図であり、（ａ）が未対策画像、（ｂ）が対策画像である。
【図７】四種類目の住環境における未対策画像と対策画像とを示す説明図であり、（ａ）が未対策画像、（ｂ）が対策画像である。
【図８】五種類目の住環境における未対策画像と対策画像とを示す説明図であり、（ａ）が未対策画像、（ｂ）が対策画像である。
【図９】六種類目の住環境における未対策画像と対策画像とを示す説明図であり、（ａ）が未対策画像、（ｂ）が対策画像である。
【図１０】七種類目の住環境における未対策画像と対策画像とを示す説明図であり、（ａ）が未対策画像、（ｂ）が対策画像である。
【図１１】八種類目の住環境における未対策画像と対策画像とを示す説明図であり、（ａ）が未対策画像、（ｂ）が対策画像である。
【図１２】九種類目の住環境における未対策画像と対策画像とを示す説明図であり、（ａ）が未対策画像、（ｂ）が対策画像である。
【図１３】十種類目の住環境における未対策画像と対策画像とを示す説明図であり、（ａ）が未対策画像、（ｂ）が対策画像である。
【図１４】十一種類目の住環境における未対策画像と対策画像とを示す説明図であり、（ａ）が未対策画像、（ｂ）が対策画像である。
【図１５】十二種類目の住環境における未対策画像と対策画像とを示す説明図であり、（ａ）が未対策画像、（ｂ）が対策画像である。
【発明を実施するための形態】
【００１５】
以下、図面を参照して本発明の実施の形態について説明する。
図１は本実施形態に係る住環境危険性対策案提供システムの概略構成を示す模式図である。図１に示すように、住環境危険性対策案提供システム１は、サーバ２と、サーバ２に接続されたクライアント端末３と、例えばインターネット等のネットワークＮを介してサーバ２に接続された顧客用端末４，４，４を備えている。
【００１６】
サーバ２に記憶される情報としては、対策前の住環境画像（以下、未対策画像と称す。）と、対策後の住環境画像（以下、対策画像と称す。）と、その種類を示すタイトルデータと、これらを説明する説明データとがある。１つの住環境に対応する未対策画像、対策画像、タイトルデータ及び説明データを関連付けたデータ群を住環境データ群と称す。住環境データ群は、複数種類の住環境毎に用意されていて、これらがサーバ２に記憶されている。さらに、サーバ２には、記憶している複数種類の住環境を一覧で表示するための一覧データを記憶している。一覧データは、各住環境データ群のタイトルデータのみを一覧でまとめたデータ構成であってもよいし、タイトルデータに対して未対策画像をサムネイルで追加したものを一覧でまとめたデータ構成であってもよい。
【００１７】
クライアント端末３及び顧客用端末４は、例えばパソコン、携帯電話、スマートフォン、タブレット型端末等の情報機器である。各端末３，４には、種々の情報が表示される表示部３１，４１と、表示部３１，４１に表示されているポインタＫ（例えば図３参照）を操作するための操作部３２，４２が設けられている。
操作部３２，４２としては、マウス等のポインティングデバイスや、キーボードなどの表示部３１，４１とは別体の操作機器だけでなく、表示部３１，４１上に設けられているタッチパネルなどが挙げられる。
【００１８】
クライアント端末３には、サーバ２に記憶されている情報を編集することのできる編集用アプリケーションがインストールされている。編集用アプリケーションでは、各情報の編集フォーマットが規格化されている。
図２は、編集フォーマットの一例を示す編集画面である。図２に示すように、編集画面Ｇ１には、タイトルデータが入力されるタイトル欄ｇ１１、サブタイトル欄ｇ１２、コンテンツタイトル欄ｇ１３が設けられている。また、編集画面Ｇ１には、説明データが入力される説明欄ｇ１４が設けられている。また、編集画面Ｇ１には、未対策画像が入力される未対策画像欄ｇ１５と、対策画像が入力される対策画像欄ｇ１６が設けられている。
そして、編集フォーマットの各欄に新規な情報を追加し、完了すると、その新規データを編集用アプリケーションがＨＴＭＬ形式に変換し、サーバ２に記憶させる。
【００１９】
顧客用端末４には、インターネット閲覧用のアプリケーションがインストールされており、当該アプリケーションの実行によって本発明に係る住環境危険性対策案提供方法を実行する。顧客用端末４は、前記アプリケーションによりネットワークＮを介してサーバ２にアクセスすると、一覧データをサーバ２から読み出して表示部４１に表示するようになっている（一覧データ表示行程）。次いで、ユーザーによって操作部４２が操作され、一覧データから任意の住環境が選択されると（選択行程）、顧客用端末４は、選択された住環境に基づく住環境データ群をサーバ２から読み出し（住環境画像読み出し工程）、表示部４１に表示するようになっている。
【００２０】
図３は、顧客用端末４の表示部４１に住環境データ群を表示した場合のレイアウトの一例を示す模式図である。図３に示すように、表示画面Ｇ２の上部にはタイトル欄ｇ２１が配置され、そのタイトル欄ｇ２１の下方には画像表示欄ｇ２２と、テキスト表示欄ｇ２３とが横並びに配置されている。タイトル欄ｇ２１には、住環境データ群のうち、タイトルデータに基づくタイトルが表示される。また、テキスト表示欄ｇ２３には、住環境データ群のうち、説明データに基づく説明文が表示される。画像表示欄ｇ２２には、住環境データ群のうち、未対策画像が表示される（対策前画像表示行程）。
【００２１】
その後、顧客用端末４は、ユーザーによって操作部４２が操作されて、画像表示欄ｇ２２中の未対策画像上にポインタＫが重なると、当該画像表示欄ｇ２２に表示されている未対策画像を対策画像に切り替えて表示するようになっている（画像切替工程）。なお、顧客用端末４は、ユーザーによって操作部４２が操作されて、画像表示欄ｇ２２中の未対策画像上からポインタＫが離れると、当該画像表示欄ｇ２２に表示されている対策画像を未対策に切り替えて表示するようになっている
【００２２】
一方、新規の住環境データ群をサーバ２に追加する場合（追加行程）には、クライアント端末３の編集用アプリケーションによって、新たな種類の住環境に対応する住環境データ群を作成し、その作成した住環境データ群をサーバ２に追加する。
【００２３】
次に、住環境の種類と、各種類の未対策画像、対策画像について例示する。
図４は一種類目の住環境における未対策画像と対策画像とを示す説明図であり、（ａ）が未対策画像、（ｂ）が対策画像である。図４では、側面に死角のある住宅の第一例を示している。図４（ａ）に示すように、未対策画像では、住宅ｈ１と道路ｈ２との敷地境界に門扉やフェンスが無い。そして、道路ｈ２の奥側にも庭木ｈ３や壁ｈ４によって、住宅ｈ１側から死角になってしまう箇所がある。この住環境の防犯性を高める対策案として、例えば図４（ｂ）に示す対策画像では、庭木ｈ３及び壁ｈ４を取り除き、なおかつ住宅ｈ１と道路ｈ２との敷地境界に、見通しのよい柵状の門扉ｈ５とフェンスｈ６とを設置することで住宅ｈ１からの見通しを高めている。
【００２４】
図５は二種類目の住環境における未対策画像と対策画像とを示す説明図であり、（ａ）が未対策画像、（ｂ）が対策画像である。図５では、側面に死角のある住宅の第二例を示している。図５（ａ）に示すように、未対策画像では、住宅ｉ１の側面には、道路ｉ２との段差によって見通しの悪い空間が存在している。この住環境の防犯性を高める対策案として、例えば図５（ｂ）に示す対策画像では、住宅ｉ１と道路ｉ２との間の空間に、不審者が回り込めないように扉ｉ３を設置するとともに、不審者の気配が分かるように砂利ｉ４を敷き詰めている。さらに、対策画像では、人感センサのついた照明器具ｉ５も設け、夜間の侵入を察知しやすくしている。
【００２５】
図６は三種類目の住環境における未対策画像と対策画像とを示す説明図であり、（ａ）が未対策画像、（ｂ）が対策画像である。図６では、側面に死角のある住宅の第三例を示している。図６（ａ）に示すように、未対策画像では、道路側を覆うフェンスｊ１が高いだけでなく、庭木ｊ２も高いために見通しが遮られている。この住環境の防犯性を高める対策案として、例えば図６（ｂ）に示す対策画像では、フェンスｊ１を取り除くとともに庭木ｊ２を剪定して見通しをよくし、さらに、サッシｊ３に防犯フィルムｊ４を貼付している。そして、夜間の防犯性もたかめるため、住宅ｊ５の壁部に照明ｊ６を配置している。
【００２６】
図７は四種類目の住環境における未対策画像と対策画像とを示す説明図であり、（ａ）が未対策画像、（ｂ）が対策画像である。図７では、玄関が側面にある住宅の第一例を示している。図７（ａ）に示すように、未対策画像では、道路に面して玄関が配置されておらず、門ｋ１も開放されたままである。なおかつ照明も少ないための夜間の防犯性に不安がある。この住環境の防犯性を高める対策案として、例えば図７（ｂ）に示す対策画像では、門ｋ１を閉じ、さらに、門ｋ１の近傍に照明ｋ２を配置している。
【００２７】
図８は五種類目の住環境における未対策画像と対策画像とを示す説明図であり、（ａ）が未対策画像、（ｂ）が対策画像である。図８では、玄関が側面にある住宅の第二例を示している。図８（ａ）に示すように、未対策画像では、門ｍ１の脇にはドアホンが無く、開いたままの門ｍ１によって不審者の侵入を誘発するおそれがある。この住環境の防犯性を高める対策案として、例えば図８（ｂ）に示す対策画像では、門ｍ１を閉じるだけでなく門ｍ１にドアホンｍ２や照明ｍ３を配置することで防犯性を高めている。さらに、塀ｍ４にある不用意な隙間ｍ５や、道路に面した住宅ｍ６の窓ｍ７に対しては面格子ｍ８を取り付けている。
【００２８】
図９は六種類目の住環境における未対策画像と対策画像とを示す説明図であり、（ａ）が未対策画像、（ｂ）が対策画像である。図９では、道路に面し植木が茂る家の第一例を示している。図９（ａ）に示すように、未対策画像では、玄関の周囲が道路から離れ閉塞しているために、玄関脇にある大きな窓ｎ２に不審者が興味を持つおそれがある。この住環境の防犯性を高める対策案として、例えば図９（ｂ）に示す対策画像では、窓ｎ２に対して防犯フィルムｎ２を貼付している。また、窓ｎ２と道路との間に柵ｎ３を設け、さらに通行人の目が窓ｎ２側に向くように花壇ｎ４などのアイポイントを配置している。
【００２９】
図１０は七種類目の住環境における未対策画像と対策画像とを示す説明図であり、（ａ）が未対策画像、（ｂ）が対策画像である。図１０では、道路に面し植木が茂る家の第二例を示している。図１０（ａ）に示すように、未対策画像では、周囲の住宅と比べて植木ｏ１の葉が茂って道路側からの視認性が悪くなっている。この住環境の防犯性を高める対策案として、例えば図１０（ｂ）に示す対策画像では、植木ｏ１の葉を地面から２ｍ位までの高さで剪定し、見通しをよくしている。また、住宅ｏ２と道路との敷地境界や、隣家との敷地境界に門扉ｏ３及びフェンスｏ４を設置することで、敷地境界からの侵入を防止している。
【００３０】
図１１は八種類目の住環境における未対策画像と対策画像とを示す説明図であり、（ａ）が未対策画像、（ｂ）が対策画像である。図１１では、道路に面し植木が茂る家の第三例を示している。図１１（ａ）に示すように、未対策画像では、カーポートｐ１にはゲートがなく、さらには植木ｐ２によって室内から外が確認しにくくなっている。この住環境の防犯性を高める対策案として、例えば図１１（ｂ）に示す対策画像では、植木ｐ２の葉を地面から２ｍ位までの高さで剪定し、見通しをよくしている。また、カーポートｐ１に対して施錠可能な扉ｐ３を設け、容易な侵入を防止している。
【００３１】
図１２は九種類目の住環境における未対策画像と対策画像とを示す説明図であり、（ａ）が未対策画像、（ｂ）が対策画像である。図１２では、道路に面し植木が茂る家の第四例を示している。図１２（ａ）に示すように、未対策画像では、植木ｑ１やブロック塀ｑ２などによって周囲からの視線が遮られており、一旦侵入を許すと自由に動き回られる懸念がある。この住環境の防犯性を高める対策案として、例えば図１２（ｂ）に示す対策画像では、低めの植木ｑ１に入れ替え、さらに視認性の高い柵ｑ３とすることで見通しをよくしている。また、庭に面した窓ｑ４に対して防犯フィルムｑ５を貼付することで窓ガラスが割られてしまうことを防止している。
【００３２】
図１３は十種類目の住環境における未対策画像と対策画像とを示す説明図であり、（ａ）が未対策画像、（ｂ）が対策画像である。図１３では、夜間環境を示している。図１３（ａ）に示すように、未対策画像では、街灯がないだけでなく、近隣住宅の塀ｒ１によって住宅ｒ２からの光も遮られ、一層暗くなった路地が示されている。この住環境の防犯性を高める対策案として、例えば図１３（ｂ）に示す対策画像では、街灯ｒ３を路地に配置し、さらには塀ｒ１を開放的にするとともに住宅ｒ２の庭などに照明ｒ４を配置することで、路面全体を明るくしている。
【００３３】
図１４は十一種類目の住環境における未対策画像と対策画像とを示す説明図であり、（ａ）が未対策画像、（ｂ）が対策画像である。図１４では、街路環境を示している。図１４（ａ）に示すように、未対策画像では、各住宅が高い塀ｓ１により覆われており、塀ｓ１の外側から住宅側を視認しにくくなっている。この住環境の防犯性を高める対策案として、例えば図１４（ｂ）に示す対策画像では、塀ｓ１を取り除くことで視認性を高め、住宅の周囲に格子ｓ２を設けることで防犯性を高めている。
【００３４】
このような未対策画像と対策画像との表示が画像表示欄ｇ２２上で切り替わるので、ユーザーは防犯対策の前後による変化を直感的に認識することが可能となっている。
【００３５】
以上のように本実施形態によれば、複数種類の住環境を一覧で表示するための一覧データが顧客用端末４に表示されて、その表示内容をユーザーが一覧で視認できるので、ユーザーは自宅の住環境に類似したものを一覧データから選択しさえすれば、その選択された住環境における対策前の住環境画像と、対策後の住環境画像とを顧客用端末４に表示させることが可能である。これにより、ユーザーは、評価者を介さずとも、自宅の住環境に応じた防犯対策案を気軽に閲覧することができる。
【００３６】
また、クライアント端末３が、新たな種類の住環境に対応する対策前の住環境画像と、対策後の住環境画像とをサーバ２に対して追加することができるので、サーバ２内の対策前の住環境画像と、対策後の住環境画像とを更新することができ、より多くの住環境に応じた防犯対策案を提供することが可能である。
【００３７】
なお、上記実施形態では、未対策画像上にポインタＫが重なった場合に画像表示欄ｇ２２に表示されている未対策画像を対策画像に切り替える場合を例示して説明したが、操作部４２がタッチパネルの場合には、ポインタＫ自体が表示部４１上に表示されない場合もある。このような場合、画像表示欄ｇ２２に表示されている未対策画像をユーザーが直接タッチした状態を、未対策画像上にポインタＫが重なった状態とする。
【００３８】
また、上記実施形態では、危険性対策案として防犯対策案が提供される場合を例示して説明したが、その他の危険性対策案を提供するようにしてもよい。住環境におけるその他の危険性対策としては、例えばトイレ内での安全対策が挙げられる。
図１５は十二種類目の住環境における未対策画像と対策画像とを示す説明図であり、（ａ）が未対策画像、（ｂ）が対策画像である。図１５では、トイレ内環境を示している。図１５（ａ）に示すように、未対策画像では、ドアｔ１がトイレに対して内開きになっている。この場合、急病で使用者がトイレ内で倒れてしまうと、ドアｔ１を開くのが困難なものとなる。トイレ内の安全性を高める対策案として、例えば図１５（ｂ）に示す対策画像では、ドアｔ１を外開きにすることでトイレ内から急病人を運搬することの迅速化が可能となる。また、トイレ内には手摺りｔ２を設けることで使用者の起立／着席動作の安定化を図っている。さらに、ドアｔ１には、非常時に外側からも施錠を解除できる鍵ｔ３が設けられており、トイレ内で使用者が意識不明となった場合でも、トイレ外側に露出する溝にコインを嵌めてサムターンを回し解錠することで、使用者を救出することが可能となっている。
【００３９】
なお、住環境における危険性対策としては、これ以外に浴室の安全対策が挙げられる。例えば、対策後の浴室では袖の低い浴槽や、手摺り、角のない金具を有する画像を対策画像として提示し、対策前の浴室では手摺りを排除し、角張った金具、袖の高い浴槽を有する画像を未対策画像として提示する。
ここで、上記した防犯性対策や、安全対策以外にも防火対策や防振対策などを危険性対策として提案してもよい。
【符号の説明】
【００４０】
１      住環境危険性対策案提供システム
２      サーバ
３      クライアント端末
４      顧客用端末
３１      表示部
３２      操作部
４１      表示部
４２      操作部
Ｋ      ポインタ
Ｎ      ネットワーク
【図１】
2014038445.tif 000003
【図２】
2014038445.tif 000004
【図３】
2014038445.tif 000005
【図４】
2014038445.tif 000006
【図５】
2014038445.tif 000007
【図６】
2014038445.tif 000008
【図７】
2014038445.tif 000009
【図８】
2014038445.tif 000010
【図９】
2014038445.tif 000011
【図１０】
2014038445.tif 000012
【図１１】
2014038445.tif 000013
【図１２】
2014038445.tif 000014
【図１３】
2014038445.tif 000015
【図１４】
2014038445.tif 000016
【図１５】
2014038445.tif 000017